(57)【要約】      （修正有）【課題】カメラからのシンクロ信号が使えない場合においても、照明装置の発光後に主コンデンサへの充電を開始することができる電源装置を提供する。【解決手段】係わる電源装置１は、電源１０を備え、該電源から得られる電力を、照明光を発光する照明装置に対して供給する電源装置であって、前記電源の電源電圧を昇圧することにより、前記照明装置に対して充電電圧を出力する昇圧回路１３と、前記照明装置で発生する電磁波を検知する電磁波検知部と、前記電磁波検知部で所定レベル以上の電磁波が検知されると、前記昇圧回路へ前記電源電圧の供給を開始させて、該昇圧回路に前記昇圧の動作を実行させる昇圧制御部１８とを備える。【選択図】図１
2010251857.tif 000002
【特許請求の範囲】
【請求項１】
電源を備え、該電源から得られる電力を、照明光を発光する照明装置に対して供給する電源装置であって、
前記電源の電源電圧を昇圧することにより、前記照明装置に対して充電電圧を出力する昇圧回路と、
前記照明装置で発生する電磁波を検知する電磁波検知部と、
前記電磁波検知部で所定レベル以上の電磁波が検知されると、前記昇圧回路へ前記電源電圧の供給を開始させて、該昇圧回路に前記昇圧の動作を実行させる昇圧制御部と、
を備えることを特徴とする電源装置。
【請求項２】
請求項１に記載の電源装置であって、
前記昇圧回路から出力された前記充電電圧の電圧レベルを検出する充電電圧レベル検出回路を更に有し、
前記昇圧制御部は、前記充電電圧レベル検出回路において前記充電電圧の電圧レベルが所定電圧レベルに達したことが検出されると、前記昇圧回路への前記電源電圧の供給を停止することを特徴とする電源装置。
【請求項３】
請求項１又は２に記載の電源装置であって、
前記昇圧制御部は発振回路を含み、且つ前記電磁波検知部で前記電磁波を検知しないときは、少なくとも前記発振回路での発振動作を停止することを特徴とする電源装置。
【請求項４】
請求項２に記載の電源装置であって、
前記電磁波検知部で前記電磁波を検知したときから所定時間内に、前記充電電圧レベル検出回路において前記充電電圧が前記所定電圧レベルに達したことが検出されない場合は、前記電源から前記昇圧回路への前記電源電圧の供給を停止させるワンショット回路を更に備えることを特徴とする電源装置。
【請求項５】
請求項１〜４のいずれか一項に記載の電源装置であって、
前記電磁波検知部は、前記照明装置に前記照明光を発生させるために該照明装置内に設けられたトリガ回路から発生する電磁波を検知することを特徴とする電源装置。
【請求項６】
請求項１〜４のいずれか一項に記載の電源装置であって、
前記電磁波検知部は、前記照明装置の電源電圧を昇圧するために前記照明装置内に設けられた昇圧回路から発生する電磁波を検知することを特徴とする電源装置。
【請求項７】
請求項６に記載の電源装置であって、
前記電磁波検知部は、前記照明装置内に配置された前記昇圧回路の近傍に配置されることを特徴とする電源装置。
【請求項８】
請求項１〜４のいずれか一項に記載の電源装置であって、
前記電磁波検知部は、前記照明装置に前記照明光を発生させるために該照明装置に設けられたトリガ回路から発生する第１の電磁波と、前記電源電圧を昇圧するために前記照明装置内に設けられた昇圧回路から発生する第２の電磁波とを検知可能であり、
前記昇圧制御部は、前記第１の電磁波と前記第２の電磁波の両方を所定時間差で検知したときに前記昇圧回路に前記昇圧の動作を開始させることを特徴とする電源装置。
【請求項９】
請求項２又は４に記載の電源装置であって、
前記電磁波検知部で前記所定レベル以上の電磁波を検知した後は、前記電磁波検知部の検知感度を高くし、前記充電電圧レベル検出回路で充電電圧が所定電圧に達したことが検出された後は、前記電磁波検知部の検知感度を元の検知感度とするゲインコントロール回路を備えることを特徴とする電源装置。
【請求項１０】
請求項１〜５のいずれか一項に記載の電源装置であって、
前記電磁波検知部は、前記昇圧回路で発生する電磁波と同じ周波数帯域の信号成分をカットするフィルタ回路を介して電磁波の検知を行うことを特徴とする電源装置。
【発明の詳細な説明】
【技術分野】
【０００１】
本発明は、照明装置に電力を供給する電源装置に関するものである。
【背景技術】
【０００２】
カメラの写真撮影に用いられる照明装置は、照明光を発光して被写体に照射するものである。このような照明装置による発光を多用すると、照明装置内に装填された電池だけでは主コンデンサの充電に時間がかかるようになる。このため、照明装置による発光を多用する写真撮影では、照明装置に外付けの電源装置を接続して、発光可能間隔をより短くするようにしている。従来の電源装置は、電源がオンすると、照明装置における発光の有無にかかわらず昇圧動作を繰り返し行っている。従って、発光間隔が長い場合には、電池が無駄に消耗することになる。このような電源装置に対する従来技術の一つとして、カメラ側から送信されるシンクロ信号を用い、照明装置が発光したタイミングで電源装置の昇圧動作を開始するようにしたものが知られている（特許文献１参照）。
【先行技術文献】
【特許文献】
【０００３】
【特許文献１】特開平３−２３７４４１号公報
【発明の概要】
【発明が解決しようとする課題】
【０００４】
上記従来技術では、カメラからのシンクロ信号を電源装置での昇圧動作の開始に用いているため、電源装置にシンクロ端子やカメラと電源装置との間を接続するケーブルが必要となる。また、カメラからのシンクロ信号を使えない場合、例えば、ワイヤレスの多灯撮影において、リモートの照明装置を充電する場合や、シンクロ信号出力の無い発光に対して、その発光後に照明装置を充電する場合などには、シンクロ端子やケーブルを備えていても対応することは困難であった。
【０００５】
本発明の課題は、カメラからのシンクロ信号が使えない場合においても、照明装置の発光後に主コンデンサへの充電を開始することができる電源装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、電源（１０）を備え、該電源から得られる電力を、照明光を発光する照明装置（２）に対して供給する電源装置（１）であって、前記電源の電源電圧を昇圧することにより、前記照明装置に対して充電電圧を出力する昇圧回路（１３）と、前記照明装置で発生する電磁波を検知する電磁波検知部（２７）と、前記電磁波検知部で所定レベル以上の電磁波が検知されると、前記昇圧回路へ前記電源電圧の供給を開始させて、該昇圧回路に前記昇圧の動作を実行させる昇圧制御部（１８）と、を備えることを特徴とする。
請求項２に記載の発明は、請求項１に記載の電源装置（１）であって、前記昇圧回路（１３）から出力された前記充電電圧の電圧レベルを検出する充電電圧レベル検出回路（１７）を更に有し、前記昇圧制御部（１８）は、前記充電電圧レベル検出回路において前記充電電圧の電圧レベルが所定電圧レベルに達したことが検出されると、前記昇圧回路への前記電源電圧の供給を停止することを特徴とする。
請求項３に記載の発明は、請求項１又は２に記載の電源装置（１）であって、前記昇圧制御部（１８）は発振回路（１６ａ）を含み、且つ前記電磁波検知部（２７）で前記電磁波を検知しないときは、少なくとも前記発振回路での発振動作を停止することを特徴とする。
請求項４に記載の発明は、請求項２に記載の電源装置（１）であって、前記電磁波検知部（１８）で前記電磁波を検知したときから所定時間内に、前記充電電圧レベル検出回路（１７）において前記充電電圧が前記所定電圧レベルに達したことが検出されない場合は、前記電源（１０）から前記昇圧回路（１３）への前記電源電圧の供給を停止させるワンショット回路（１２）を更に備えることを特徴とする。
請求項５に記載の発明は、請求項１〜４のいずれか一項に記載の電源装置（１）であって、前記電磁波検知部（２７）は、前記照明装置（２）に前記照明光を発生させるために該照明装置内に設けられたトリガ回路（２６）から発生する電磁波を検知することを特徴とする。
請求項６に記載の発明は、請求項１〜４のいずれか一項に記載の電源装置（１Ａ）であって、前記電磁波検知部（２９）は、前記照明装置（２Ａ）の電源電圧を昇圧するために前記照明装置内に設けられた昇圧回路（２２）から発生する電磁波を検知することを特徴とする。
請求項７に記載の発明は、請求項６に記載の電源装置（１Ａ）であって、前記電磁波検知部（２９）は、前記照明装置（２Ａ）内に配置された前記昇圧回路（２２）の近傍に配置されることを特徴とする。
請求項８に記載の発明は、請求項１〜４のいずれか一項に記載の電源装置（１Ｂ）であって、前記電磁波検知部（２７、２９）は、前記照明装置（２Ａ）に前記照明光を発生させるために該照明装置に設けられたトリガ回路（２６）から発生する第１の電磁波と、前記電源電圧（２０）を昇圧するために前記照明装置内に設けられた昇圧回路（２２）から発生する第２の電磁波とを検知可能であり、前記昇圧制御部（１８）は、前記第１の電磁波と前記第２の電磁波の両方を所定時間差で検知したときに前記昇圧回路（１３）に前記昇圧の動作を開始させることを特徴とする。
請求項９に記載の発明は、請求項２又は４に記載の電源装置（１）であって、前記電磁波検知部（２７）で前記所定レベル以上の電磁波を検知した後は、前記電磁波検知部の検知感度を高くし、前記充電電圧レベル検出回路（１７）で充電電圧が所定電圧に達したことが検出された後は、前記電磁波検知部の検知感度を元の検知感度とするゲインコントロール回路（４１ｃ）を備えることを特徴とする。
請求項１０に記載の発明は、請求項１〜５のいずれか一項に記載の電源装置（１）であって、前記電磁波検知部（１８）は、前記昇圧回路（２２）で発生する電磁波と同じ周波数帯域の信号成分をカットするフィルタ回路（２７ａ）を介して電磁波の検知を行うことを特徴とする。
なお、符号を付して説明した構成は、適宜改良してもよく、また、少なくとも一部を他の構成物に代替してもよい。
【発明の効果】
【０００７】
本発明によれば、カメラからのシンクロ信号が使えない場合においても、照明装置の発光後に主コンデンサへの充電を開始することができる電源装置を提供することができる。
【図面の簡単な説明】
【０００８】
【図１】第１実施形態における電源装置の回路構成図である。
【図２】第１実施形態における照明装置の回路構成図である。
【図３】第１実施形態におけるトリガ電磁波検知回路の回路構成図である。
【図４】第１実施形態における電源装置の外観図である。
【図５】第１実施形態の照明装置におけるコネクタの取り付け位置を示す外観図である。
【図６】第２実施形態におけるトリガ電磁波検知回路の回路構成図である。
【図７】第３実施形態における照明装置の回路構成図である。
【図８】第３実施形態における電源装置の回路構成図である。
【図９】第４実施形態における電源装置の回路構成図である。
【発明を実施するための形態】
【０００９】
以下、図面を参照して、本発明に係わる電源装置の実施形態について説明する。なお、以下の説明において、信号の状態がＨｉｇｈ（又は１）レベルであることを“Ｈレベル”といい、Ｌｏｗ（又は０）レベルであることを“Ｌレベル”という。
（第１実施形態）
【００１０】
図１は、第１実施形態における電源装置１の回路構成図である。図１に示すように、電源装置１は、電源部１０、定電圧回路１１、ワンショット回路１２、昇圧回路１３、整流回路１４、起動回路１５、昇圧制御回路１６、充電電圧検出回路１７、昇圧制御部１８、電磁波検知部としてのトリガ電磁波検知回路４１、ゲート素子Ｇ１、Ｇ２、及びスイッチング素子ＳＷ１、ＳＷ２を備える。
【００１１】
本実施形態の昇圧制御部１８は、起動回路１５及び昇圧制御回路１６を備えるとともに、ゲート素子Ｇ１、Ｇ２、及びスイッチング素子ＳＷ１、ＳＷ２の少なくとも一部の機能を備える。
【００１２】
電源部１０は、電源装置１の電源となる電池が装填される電池室である。電源部１０からは、所定電圧の電源電圧Ｖｃｃが出力される。
【００１３】
定電圧回路１１は、電源部１０から出力された電源電圧Ｖｃｃに基づいて、昇圧動作電圧Ｖｓを出力する回路である。定電圧回路１１から出力される昇圧動作電圧Ｖｓは、ワンショット回路１２、起動回路１５、及びスイッチング素子ＳＷ１のソース（Ｓ）に供給される。また、昇圧動作電圧Ｖｓは、昇圧が開始されると、スイッチング素子ＳＷ１を介して昇圧制御回路１６に供給される。
【００１４】
ワンショット回路１２は、後述の照明装置２における充電状態に応じて、昇圧回路１３への電源電圧Ｖｃｃの供給を停止する回路である。ワンショット回路１２は、入力側が起動回路１５と接続され、出力側がゲート素子Ｇ１、Ｇ２と接続されている。
【００１５】
ゲート素子Ｇ１の入力端子Ａは、ワンショット回路１２の出力側と接続されている。また、ゲート素子Ｇ１の入力端子Ｂは、起動回路１５の出力側と接続されている。ゲート素子Ｇ１の出力端子Ｘは、スイッチング素子ＳＷ１のゲート（Ｇ）と接続されている。スイッチング素子ＳＷ１は、上述のように、ソース（Ｓ）が定電圧回路１１と接続され、ドレイン（Ｄ）が後述の昇圧制御回路１６と接続されている。定電圧回路１１から出力された昇圧動作電圧Ｖｓは、スイッチング素子ＳＷ１がオンすると、ドレイン（Ｄ）から昇圧動作電圧Ｖｏｕｔとして昇圧制御回路１６へ出力される。
【００１６】
ゲート素子Ｇ２の反転入力端子／Ａは、ワンショット回路１２の出力側と接続されている。ゲート素子Ｇ２の入力端子Ｂは、起動回路１５の出力側と接続されている。ゲート素子Ｇ２の出力端子Ｘは、ランプＬ２と接続されている。ランプＬ２は、ユーザに昇圧動作の強制的な停止を知らせる表示手段である。ランプＬ２は、ゲート素子Ｇ２の出力端子ＸがＬレベルのときに消灯し、Ｈレベルのときに点灯する。ランプＬ２は、充電中はゲート素子Ｇ２の出力端子ＸがＬレベルとなるため消灯している。また、後述するように、昇圧動作が強制的に停止したときは、ゲート素子Ｇ２の出力端子ＸがＨレベルとなるため点灯する。なお、ランプＬ２及び後述するランプＬ１は、発光ダイオード（ＬＥＤ）により構成されている。
【００１７】
ワンショット回路１２は、後述する起動回路１５の出力端子Ｑ（ラッチ回路１５ａ）がＨレベルになると、ゲート素子Ｇ１の入力端子Ａ、及びゲート素子Ｇ２の反転入力端子／Ａの入力をＨレベルとする。これにより、ゲート素子Ｇ１は、入力端子Ａ、ＢがＨレベルとなるため、出力端子ＸはＬレベルとなる。すると、スイッチング素子ＳＷ１がオンし、昇圧動作電圧Ｖｓは、ドレイン（Ｄ）から昇圧動作電圧Ｖｏｕｔとして昇圧制御回路１６へ出力される。一方、ゲート素子Ｇ２では、反転入力端子／ＡがＬレベル、入力端子ＢがＨレベルとなるため、出力端子ＸはＬレベルとなる。従って、ランプＬ２は消灯する。
【００１８】
また、ワンショット回路１２は、起動回路１５の出力端子ＱがＨレベルになったときから、不図示のタイマを起動して所定時間の計時を開始する。そして、所定時間内に、起動回路１５の出力端子ＱがＬレベルにならない場合は、定電圧回路１１から昇圧制御回路１６への昇圧動作電圧Ｖｓの供給を停止する制御を行っている。昇圧制御回路１６は、昇圧動作電圧Ｖｓの供給が停止すると、発振回路１６ａにおける発振動作が停止する。これにより、昇圧制御回路１６から所定レベルのゲート電圧がスイッチング素子ＳＷ２のゲート（Ｇ）に出力されなくなり、ソース（Ｓ）とドレイン（Ｄ）との間が非導通となって、昇圧回路１３の一次巻線Ｔｆには、電源電圧Ｖｃｃが供給されなくなる。
【００１９】
すなわち、ワンショット回路１２は、後述のトリガ電磁波検知回路４１で所定レベル以上の電磁波を検知したときから所定時間内に、後述の充電電圧検出回路１７において充電電圧が所定電圧レベルに達したことが検知されない場合は、昇圧回路１３への電源電圧Ｖｃｃの供給を停止する機能を備える。なお、所定時間とは、昇圧回路１３が昇圧動作を開始してから、充電電圧に達するまでに要する平均的な充電時間である。従って、所定時間内に充電が完了しなければ、電源部１０の電池容量が低下していることが考えられる。
【００２０】
上述のように、起動回路１５の出力端子ＱがＨレベルとなったときから所定時間内に、出力端子ＱがＬレベルとならない場合、ワンショット回路１２は、ゲート素子Ｇ１の入力端子Ａ、及びゲート素子Ｇ２の反転入力端子／Ａの入力をＬレベルとする。これにより、ゲート素子Ｇ１では、入力端子ＡがＬレベル、入力端子ＢがＨレベルとなるため、出力端子ＸはＨレベルとなる。すると、スイッチング素子ＳＷ１がオフして、ドレイン（Ｄ）から昇圧制御回路１６への昇圧動作電圧Ｖｏｕｔの出力が停止する。すなわち、昇圧動作電圧Ｖｓは定電圧回路１１から昇圧回路１３の一次側に供給されない状態となる。一方、ゲート素子Ｇ２では、反転入力端子／ＡがＨレベル、入力端子ＢはＨレベルとなるため、出力端子ＸはＨレベルとなる。これにより、ランプＬ２はＨレベルとなり、ユーザに昇圧動作の強制的な停止を知らせるランプＬ２が点灯する。
【００２１】
昇圧回路１３は、電源部１０の電源電圧Ｖｃｃを昇圧するトランスＴを備える。トランスＴの一次巻線Ｔｆには、電源部１０から電源電圧Ｖｃｃが供給される。この電源電圧Ｖｃｃは、後述の昇圧制御回路１６及びスイッチング素子ＳＷ２により変調された交番電圧である。トランスＴの一次巻線Ｔｆへ供給された電源電圧Ｖｃｃは、トランスＴで昇圧され、二次巻線Ｔｓから交流の高電圧が出力される。
【００２２】
整流回路１４は、昇圧回路１３から出力された交流の高電圧を直流の高電圧に変換して出力する回路である。整流回路１４で変換された直流の高電圧は、充電電圧として電力用配線ｗ１、ｗ２を介して高電圧出力端子Ｔ１、Ｔ２に出力される。高電圧出力端子Ｔ１、Ｔ２は、後述する照明装置２の高電圧入力端子Ｔ３、Ｔ４と接続される端子である。
【００２３】
起動回路１５は、ラッチ回路１５ａを備える。ラッチ回路１５ａは、セット入力端子ＳＥＴと、反転リセット入力端子／ＲＥＳＥＴとを備える。セット入力端子ＳＥＴは、後述のトリガ電磁波検知回路４１と接続されている。ラッチ回路１５ａのセット入力端子ＳＥＴには、トリガ電磁波検知回路４１からトリガ電磁波検知信号ｓ１が送信される。トリガ電磁波検知信号ｓ１は、検知信号用配線ｗ５を通じて送信される。検知信号用配線ｗ５は、トリガ電磁波検知回路４１と起動回路１５との間を接続する配線である。
【００２４】
ラッチ回路１５ａは、反転リセット入力端子／ＲＥＳＥＴの入力がＬレベルのときに、セット入力端子ＳＥＴの入力がＨレベルになると、出力端子ＱをＨレベルとする。この後、セット入力端子ＳＥＴの入力はＬレベルに戻るが、出力端子ＱはＨレベルが保持される。
【００２５】
ラッチ回路１５ａの反転リセット入力端子／ＲＥＳＥＴは、後述の充電電圧検出回路１７と接続されている。反転リセット入力端子／ＲＥＳＥＴには、充電電圧検出回路１７から充電電圧検出信号ｓ２が入力される。なお、反転リセット入力端子／ＲＥＳＥＴは、反転入力となる。すなわち、充電電圧検出信号ｓ２がＨレベルのとき、反転リセット入力端子／ＲＥＳＥＴの入力はＬレベルとなる。また、充電電圧検出信号ｓ２がＬレベルのとき、反転リセット入力端子／ＲＥＳＥＴの入力はＨレベルとなる。
【００２６】
ラッチ回路１５ａは、セット入力端子ＳＥＴの入力がＬレベルであり、反転リセット入力端子／ＲＥＳＥＴの入力がＬレベルのときは、出力端子ＱのＨレベルは変化せず、スイッチング素子ＳＷ１のゲート（Ｇ）もＬレベルのままとなる。なお、後述する充電電圧検出回路１７は、充電電圧が所定電圧レベルに達していないときは、充電電圧検出信号ｓ２をＨレベルとする。充電電圧検出信号ｓ２がＨレベルであれば、上記のように反転リセット入力端子／ＲＥＳＥＴの入力はＬレベルとなるため、出力端子ＱのＨレベルは変化しない。従って、スイッチング素子ＳＷ１のゲート（Ｇ）はＬレベルのままとなる。このように、スイッチング素子ＳＷ１のゲート（Ｇ）がＬレベルであれば、スイッチング素子ＳＷ１のドレイン（Ｄ）から昇圧制御回路１６へ昇圧動作電圧Ｖｏｕｔが出力され、昇圧回路１３における昇圧動作が継続することになる。
【００２７】
ラッチ回路１５ａは、セット入力端子ＳＥＴの入力がＬレベルのときに、反転リセット入力端子／ＲＥＳＥＴの入力がＨレベルになると、出力端子ＱをＬレベルとする。後述する充電電圧検出回路１７は、充電電圧が所定電圧レベルに達すると、充電電圧検出信号ｓ２をＬレベルとする。充電電圧検出信号ｓ２がＬレベルになると、上記のように反転リセット入力端子／ＲＥＳＥＴの入力はＨレベルとなる。従って、ラッチ回路１５ａの出力端子ＱはＬレベルとなる。
【００２８】
ラッチ回路１５ａの出力端子ＱがＬレベルになると、ゲート素子Ｇ１では、入力端子ＡがＨレベル、入力端子ＢがＬレベルとなるため、出力端子ＸはＨレベルとなる。すると、スイッチング素子ＳＷ１がオフして、ドレイン（Ｄ）から昇圧制御回路１６への昇圧動作電圧Ｖｏｕｔの出力が停止する。これにより、電源部１０の電池電圧は昇圧回路１３の一次巻線Ｔｆに供給されなくなる。従って、昇圧回路１３における昇圧動作が停止する。
【００２９】
一方、ラッチ回路１５ａの出力端子ＱがＬレベルになると、ゲート素子Ｇ２では、反転入力端子／ＡがＨレベル、入力端子ＢがＬレベルとなるため、ランプＬ２にＬレベルが出力される。このように、充電電圧が所定時間内に所定電圧レベル以上となった場合、すなわち、後述する主コンデンサＣ１の充電が通常の時間内に完了した場合は、昇圧動作の強制的な停止ではないので、ランプＬ２は消灯したままとなる。
【００３０】
昇圧制御回路１６は、後述のトリガ電磁波検知回路４１から送信されるトリガ電磁波検知信号ｓ１（Ｈレベル又はＬレベル）に応じて、昇圧回路１３における昇圧動作の開始又は停止を制御する回路である。昇圧制御回路１６は、発振回路１６ａ、制御回路１６ｂ、及びランプＬ１を備える。発振回路１６ａは、昇圧動作電圧Ｖｏｕｔの入力により、所定周波数の交流信号を発生する回路である。制御回路１６ｂは、発振回路１６ａで発生した交流信号に基づいて、スイッチング素子ＳＷ２のゲート（Ｇ）に所定レベルのゲート電圧を交流電圧として出力する回路である。所定レベルのゲート電圧とは、スイッチング素子ＳＷ２をオンさせる電圧である。ランプＬ１は、ユーザに充電中であることを知らせる表示手段である。ランプＬ１は、充電中は点灯し、充電停止で消灯する。
【００３１】
昇圧制御回路１６は、定電圧回路１１から昇圧動作電圧Ｖｏｕｔが入力されると、所定レベルのゲート電圧を交流電圧としてスイッチング素子ＳＷ２のゲート（Ｇ）に印加する。スイッチング素子ＳＷ２は、ゲート（Ｇ）に所定レベルのゲート電圧が印加されると、ソース（Ｓ）とドレイン（Ｄ）との間が導通する。ゲート電圧は交流電圧であるため、ソース（Ｓ）とドレイン（Ｄ）との間が周期的に導通すると、昇圧回路１３の一次巻線Ｔｆには、電源電圧Ｖｃｃが交番電圧として供給される。昇圧回路１３は、トランスＴの一次巻線Ｔｆに電源電圧Ｖｃｃが交番電圧として供給されると、昇圧動作を開始する。昇圧動作が開始されると、トランスＴの二次巻線Ｔｓには、交流の高電圧が出力される。
【００３２】
このように、図１に示す昇圧制御部１８は、後述のトリガ電磁波検知回路４１で所定レベル以上の電磁波が検知されると、昇圧回路１３への電源電圧Ｖｃｃの供給を開始して、昇圧回路１３に昇圧動作を実行させる機能を備える。
【００３３】
また、昇圧制御回路１６は、定電圧回路１１から昇圧動作電圧Ｖｏｕｔが入力されなくなると、発振回路１６ａにおける発振動作を停止する。これにより、所定レベルのゲート電圧がスイッチング素子ＳＷ２のゲート（Ｇ）に出力されなくなり、ソース（Ｓ）とドレイン（Ｄ）との間が非導通となる。このため、昇圧回路１３の一次巻線Ｔｆには、電源電圧Ｖｃｃが供給されなくなる。また、発振回路１６ａにおける発振動作が停止すると、ランプＬ１も消灯する。
【００３４】
上述したように、起動回路１５のラッチ回路１５ａは、セット入力端子ＳＥＴの入力がＬレベルのときに、反転リセット入力端子／ＲＥＳＥＴの入力がＨレベルになると、出力端子ＱをＬレベルとする。この結果、ゲート素子Ｇ１によりスイッチング素子ＳＷ１がオフして、ドレイン（Ｄ）から昇圧制御回路１６への昇圧動作電圧Ｖｏｕｔの出力が停止する。
【００３５】
このように、図１に示す昇圧制御部１８は、後述の充電電圧検出回路１７において充電電圧の電圧レベルが所定電圧レベルに達したことが検出されると、昇圧回路１３への電源電圧Ｖｃｃの供給を停止する機能を備える。
【００３６】
充電電圧検出回路１７は、高電圧出力端子Ｔ１、Ｔ２に出力された充電電圧の電圧レベルを監視する回路である。充電電圧検出回路１７は、高電圧出力端子Ｔ１、Ｔ２の間に直列に接続された抵抗Ｒ１、Ｒ２と、一定の基準電圧を発生する基準電圧部１７ａと、電圧比較回路１７ｂとを備える。抵抗Ｒ１、Ｒ２は、分圧回路を構成する。この分圧回路で分圧された分圧電圧は、電圧比較回路１７ｂの−（マイナス）側の入力端子に入力される。基準電圧部１７ａからの基準電圧は、電圧比較回路１７ｂの＋（プラス）側の入力端子に入力される。電圧比較回路１７ｂは、分圧電圧と基準電圧とを比較して、分圧電圧が基準電圧よりも高い場合には、充電電圧検出信号ｓ２をＬレベルとし、低い場合は充電電圧検出信号ｓ２をＨレベルとする。
【００３７】
充電電圧検出回路１７は、充電電圧が所定電圧レベルに達していないとき（昇圧回路１３の昇圧動作中）は、分圧電圧が基準電圧よりも低いため、充電電圧検出信号ｓ２をＨレベルとする。一方、充電電圧が所定電圧レベルに達すると、分圧電圧が基準電圧よりも高くなるため、充電電圧検出信号ｓ２をＬレベルとする。なお、抵抗Ｒ１、Ｒ２の抵抗値、及び基準電圧部１７ａの基準電圧は、充電電圧（例えば、３３０Ｖ）に応じて設定される。
【００３８】
トリガ電磁波検知回路４１は、照明装置２で発生する電磁波として、後述のトリガ回路２６で発生するトリガ電磁波を検知する回路である。トリガ電磁波検知回路４１は、所定レベル以上のトリガ電磁波を検知したときに、トリガ電磁波検知信号ｓ１をＬレベルからＨレベルに変移させる。トリガ電磁波検知回路４１の構成については、後述する。
【００３９】
次に、照明装置２の構成について説明する。図２は、第１実施形態における照明装置２の回路構成図である。図１に示すように、照明装置２は、電源部２０、定電圧回路２１、昇圧回路２２、充電電圧検出回路２３、主コンデンサＣ１、発光制御部２４、キセノン発光管２５、トリガ回路２６、制御回路２７などを備える。
【００４０】
電源部２０は、照明装置２の電源となる電池が装填される電池室である。電源部２０からは、所定電圧の電源電圧Ｖｃｃが出力される。
【００４１】
定電圧回路２１は、電源部２０から出力された電源電圧Ｖｃｃに基づいて、昇圧回路２２に昇圧動作電圧Ｖｓを出力する回路である。定電圧回路２１は、昇圧動作電圧Ｖｓを制御回路２７にも出力する。
【００４２】
昇圧回路２２は、不図示のＤＣ−ＤＣコンバータを備える。昇圧回路２２は、制御回路２７から出力される昇圧制御信号ａがＬレベルからＨレベルとなるのに応答して、定電圧回路２１から供給される昇圧動作電圧Ｖｓを、直流の高電圧に変換し、充電電圧として出力する。
【００４３】
主コンデンサＣ１は、後述のキセノン発光管２５に高電圧を供給する回路素子であり、ダイオードＤ１、Ｄ２の出力側とＧＮＤとの間に接続されている。昇圧回路２２から出力された充電電圧は、ダイオードＤ１を介して主コンデンサＣ１に充電される。また、上述した電源装置１から出力され、高電圧入力端子Ｔ３、Ｔ４から電力用配線ｗ３、ｗ４を介して入力された充電電圧は、ダイオードＤ２を介して主コンデンサＣ１に充電される。主コンデンサＣ１は、外部の電源装置１から充電電圧の供給を受けない場合は、定電圧回路２１の昇圧動作電圧Ｖｓを昇圧した充電電圧により充電される。また、電源装置１から充電電圧の供給を受けた場合は、定電圧回路２１の昇圧動作電圧Ｖｓを昇圧した充電電圧に加えて、電源装置１からの充電電圧により充電される。
【００４４】
充電電圧検出回路２３は、主コンデンサＣ１の両端の電圧を監視して、主コンデンサＣ１の充電電圧が所定電圧レベルに達したかどうかを検出する回路である。充電電圧検出回路２３は、主コンデンサＣ１の充電電圧が所定電圧レベルに達したことを検出すると、制御回路２７に出力する電圧検出信号ｂをＬレベルからＨレベルに変移させる。また、充電電圧検出回路２３は、主コンデンサＣ１の充電電圧が所定電圧レベルに達していないことを検出すると、制御回路２７に出力する電圧検出信号ｂをＨレベルからＬレベルに変移させる。
【００４５】
発光制御部２４は、制御回路２７から供給される発光許可信号ｃがＬレベルからＨレベルに変移するのに応答して、駆動素子ＩＧＢＴ（Ｉｎｓｕｌａｔｅｄ  Ｇａｔｅ  Ｂｉｐｏｌａｒ  Ｔｒａｎｓｉｓｔｏｒ）がオンする電圧を駆動素子ＩＧＢＴのゲート（Ｇ）に印加する回路である。駆動素子ＩＧＢＴのゲート（Ｇ）がオンすると、駆動素子ＩＧＢＴのコレクタ（Ｃ）とエミッタ（Ｅ）との間が導通して、キセノン発光管２５の発光用電極２５ａ及び２５ｂに、主コンデンサＣ１に蓄えられた充電電圧が印加されるとともに、キセノン発光管２５の不図示のトリガ電極にトリガ電圧が印加される。これにより、キセノン発光管２５が発光する。また、発光制御部２４は、制御回路２７から供給される発光許可信号ｃがＨレベルからＬレベルに変移するのに応答して、駆動素子ＩＧＢＴがオフする電圧を駆動素子ＩＧＢＴのゲート（Ｇ）に印加する。これにより、キセノン発光管２５の発光が停止する。
【００４６】
キセノン発光管２５は、内部にキセノンガスが充填された放電管である。キセノン発光管２５の発光用電極２５ａは、主コンデンサＣ１の＋側と接続され、発光用電極２５ｂは、駆動素子ＩＧＢＴを介して主コンデンサＣ１の−側と接続されている。また、キセノン発光管２５の発光用電極２５ａ、２５ｂ及び不図示のトリガ電極は、後述のトリガ回路２６と接続されている。キセノン発光管２５は、発光用電極２５ａ、２５ｂの間に高電圧が印加された状態で、トリガ電極にトリガ電圧が印加されることにより放電が始まる。これにより、内部に充填されたキセノンガスが励起して、発光用電極２５ａと２５ｂとの間を発光電流が流れ、発光が生じる。
【００４７】
トリガ回路２６は、キセノン発光管２５のトリガ電極に数ｋＶのトリガ電圧を印加する回路であり、トランス２６ａ、抵抗Ｒ、コンデンサＣ２を備える。トリガ回路２６は、駆動素子ＩＧＢＴのゲート（Ｇ）がオンすると、トランス２６ａの一次巻線及びコンデンサＣ２のＬＣ発振により、二次巻線に高電圧のトリガ電圧が発生させる。このトリガ電圧がキセノン発光管２５の不図示のトリガ電極に印加されると、上述したように、キセノン発光管２５の内部に充填されたキセノンガスが励起して、キセノン発光管２５が発光する。なお、トリガ電極に高電圧のトリガ電圧が印加される瞬間に、トリガ回路２６にはトリガ電磁波が発生する。
【００４８】
制御回路２７は、照明装置２の動作を統括的に制御する回路である。制御回路２７は、図示しないカメラからの発光開始要求に応答して、発光許可信号ｃをＬレベルからＨレベルに変移させる。この結果、駆動素子ＩＧＢＴがオンして、キセノン発光管２５が発光する。また、制御回路２７は、カメラからの発光停止要求に応答して、発光許可信号ｃをＨレベルからＬレベルに変移させる。この結果、駆動素子ＩＧＢＴがオフして、キセノン発光管２５の発光が停止する。
【００４９】
また、制御回路２７は、照明装置２の電源がオンしたとき、又は充電電圧検出回路２３から出力される電圧検出信号ｂがＬレベルのときに、昇圧制御信号ａをＬレベルからＨレベルに変移させて、主コンデンサＣ１を充電させる。そして、充電電圧検出回路２３から出力される電圧検出信号ｂがＬレベルからＨレベルに変移すると、主コンデンサＣ１の充電電圧が所定電圧レベルに達したと判断して、昇圧制御信号ａをＨレベルからＬレベルに変移させ、主コンデンサＣ１への充電を停止させる。
【００５０】
更に、制御回路２７は、定電圧回路２１から出力される昇圧動作電圧Ｖｓを監視する。制御回路２７は、昇圧動作電圧Ｖｓが所定電圧レベル以下となった場合に、不図示の表示パネルに電池容量不足画面を表示するなどして、ユーザに電源部２０の電池容量が少ないことを通知する。また、制御回路２７は、上述した内部回路と接続するＧＮＤ（接地）端子を備える。
【００５１】
次に、トリガ電磁波検知回路４１とその配置について説明する。図３は、トリガ電磁波検知回路４１の回路構成図である。トリガ電磁波検知回路４１は、電磁波検出コイルＬ、コンデンサＣ、抵抗Ｒ、フィルタ回路４１ａ、増幅回路４１ｂを備える。
【００５２】
上述したように、キセノン発光管２５が発光する際に、トリガ回路２６（図２）ではトリガ電磁波が発生する。トリガ電磁波が電磁波検出コイルＬの近くで発生すると、電磁波検出コイルＬには電磁誘導により電流が流れる。この電流は、コンデンサＣ及び抵抗ＲからなるＣＲ回路を介してフィルタ回路４１ａに入力される。
【００５３】
フィルタ回路４１ａは、照明装置２の昇圧回路２２で発生する電磁波と同じ周波数帯域の信号成分をカットする回路である。このフィルタ回路４１ａにおいて上記の信号成分がカットされた電流は、増幅回路４１ｂに入力される。
【００５４】
照明装置２の主コンデンサＣ１は、自然放電によっても充電電圧が低下する。このように、主コンデンサＣ１が自然放電した場合でも、昇圧回路２２による昇圧動作が行われる。昇圧回路２２で昇圧動作が行われると、電磁波が発生する。フィルタ回路４１ａは、照明装置２の昇圧回路２２で発生する電磁波と同じ周波数帯域の信号成分をカットすることにより、昇圧回路２２で発生した電磁波をトリガ回路２６で発生したトリガ電磁波として検知しないようにするための回路である。フィルタ回路４１ａを設けることにより、発光によりトリガ回路２６でトリガ電磁波が発生した場合のみ電源装置１の昇圧回路１３で昇圧動作が開始される。なお、主コンデンサＣ１の自然放電による充電電圧の低下に対しては、照明装置２の電源部２０からの電源電圧Ｖｃｃにより主コンデンサＣ１の充電が行われる。
【００５５】
増幅回路４１ｂは、入力した電流が所定電流レベル以上である場合、すなわち、所定レベル以上のトリガ電磁波を検知したときは、トリガ電磁波検知信号ｓ１をＬレベルからＨレベルに変移させる。また、増幅回路４１ｂは、トリガ電磁波の検知後、トリガ電磁波検知信号ｓ１をＨレベルからＬレベルに変移させる。
【００５６】
図４は、電源装置１の外観図である。電源装置１は、電源コード３を介してコネクタ４と接続されている。電源コード３は、電源装置１と高電圧出力端子Ｔ１、Ｔ２との間を接続する不図示の電力用配線ｗ１、ｗ２と、電源装置１の起動回路１５とトリガ電磁波検知回路４１との間を接続する不図示の検知信号用配線ｗ５と、を内蔵する。
コネクタ４は、断面略凹形状の高電圧出力端子Ｔ１、Ｔ２と、トリガ電磁波検知回路４１と、を備える。トリガ電磁波検知回路４１は、コネクタ４が照明装置２の後述するコネクタ接続部５に対して正しい向きで装着されたときに、コネクタ４の上面となるように配置されている。トリガ電磁波検知回路４１からのトリガ電磁波検知信号ｓ１は、電源コード３に内蔵された検知信号用配線ｗ５を介して電源装置１へ送信される。
【００５７】
図５は、照明装置２におけるコネクタ４の取り付け位置を示す外観図である。照明装置２は、キセノン発光管２５が配置された発光部２ａの下方に、コネクタ接続部５を備える。コネクタ接続部５は、断面略凸形状の高電圧入力端子Ｔ３、Ｔ４を備える。図４に示すコネクタ４をコネクタ接続部５に装着すると、コネクタ４の高電圧出力端子Ｔ１、Ｔ２と、コネクタ接続部５の高電圧入力端子Ｔ３、Ｔ４とが嵌合して、電気的に導通する。また同時に、コネクタ４のトリガ電磁波検知回路４１が照明装置２のトリガ回路２６の近傍に固定配置される。
【００５８】
上述したように、トリガ電磁波は、キセノン発光管２５のトリガ電極にトリガ回路２６から高電圧のトリガ電圧が印加されたときに発生する。従って、コネクタ４をコネクタ接続部５に装着すると、トリガ電磁波検知回路４１は、トリガ回路２６から発生するトリガ電磁波Ｗを捕捉しやすい位置に配置されることになる。なお、照明装置２は、図示しないカメラのアクセサリーシュー（照明装置取り付け部）に装着されていてもよいし、図示しない調光コードによりカメラのアクセサリーシューと接続されていてもよい。
【００５９】
次に、上記のように構成された電源装置の動作について説明する。図２に示す照明装置２の制御回路２７は、主コンデンサＣ１の充電電圧が所定電圧レベルに達している状態で、図示しないカメラからの発光開始要求を受信すると、発光許可信号ｃをＬレベルからＨレベルに変移させる。これによって、駆動素子ＩＧＢＴがオンして、主コンデンサＣ１に蓄えられていた充電電圧がキセノン発光管２５に印加されるとともに、キセノン発光管２５の不図示のトリガ電極にトリガ回路２６からトリガ電圧が印加される。この結果、キセノン発光管２５の内部に充填されたキセノンガスが励起して、キセノン発光管２５が発光する。
【００６０】
上記のように、キセノン発光管２５が発光する際に、キセノン発光管２５の不図示のトリガ電極に高電圧のトリガ電圧が印加されると、トリガ回路２６にトリガ電磁波が発生する（図５参照）。放射されたトリガ電磁波の一部は、照明装置２に装着されたコネクタ４のトリガ電磁波検知回路４１により捕捉される。トリガ電磁波検知回路４１は、所定レベル以上の電磁波を検知すると、トリガ電磁波検知信号ｓ１をＬレベルからＨレベルに変移させる。トリガ電磁波検知信号ｓ１は、検知信号用配線ｗ５を介して電源装置１の起動回路１５に送信される。
【００６１】
電源装置１の起動回路１５は、反転リセット入力端子／ＲＥＳＥＴの入力がＬレベルのときに、Ｈレベルのトリガ電磁波検知信号ｓ１により、セット入力端子ＳＥＴの入力がＨレベルになると、出力端子ＱをＨレベルとする。すると、ゲート素子Ｇ１、Ｇ２のそれぞれの入力端子ＢはＨレベルとなる。また、ワンショット回路１２は、ゲート素子Ｇ１の入力端子Ａ、及びゲート素子Ｇ２の反転入力端子／ＡをＨレベルとする。これにより、ゲート素子Ｇ１では、入力端子Ａ、ＢがＨレベルとなり、出力端子ＸはＨレベルとなる。このため、スイッチング素子ＳＷ１がオンして、ドレイン（Ｄ）から昇圧動作電圧Ｖｏｕｔが昇圧制御回路１６へ出力される。また、ゲート素子Ｇ２では、反転入力端子／ＡがＬレベル、入力端子ＢがＨレベルとなるため、ランプＬ２はＬレベルとなり、ランプＬ２は消灯する。
【００６２】
昇圧制御回路１６は、スイッチング素子ＳＷ１がオンして、定電圧回路１１から昇圧動作電圧Ｖｏｕｔが入力されると、所定レベルのゲート電圧を交流電圧としてスイッチング素子ＳＷ２のゲート（Ｇ）に印加する。これにより、スイッチング素子ＳＷ２のソース（Ｓ）とドレイン（Ｄ）との間が周期的に導通して、昇圧回路１３の一次巻線Ｔｆに、電源部１０の電源電圧Ｖｃｃが交番電圧として供給される。昇圧回路１３の一次巻線Ｔｆに電源電圧Ｖｃｃが交番電圧として供給されると、昇圧回路１３の昇圧動作が開始される。
【００６３】
昇圧回路１３で昇圧された電源電圧Ｖｃｃは、昇圧回路１３の二次巻線Ｔｓから交流の高電圧として出力される。昇圧回路１３から出力された交流の高電圧は、整流回路１４で直流の高電圧に変換され、充電電圧として高電圧出力端子Ｔ１、Ｔ２に出力される。この充電電圧は、図４に示すように、コネクタ４を介して照明装置２へ供給される。すなわち、充電電圧は、コネクタ４の高電圧出力端子Ｔ１、Ｔ２から、コネクタ接続部５の高電圧入力端子Ｔ３、Ｔ４へ供給される。この後、充電電圧は、照明装置２の主コンデンサＣ１に充電される。
【００６４】
一方、充電電圧検出回路１７は、高電圧出力端子Ｔ１、Ｔ２から出力された充電電圧の電圧レベルが所定電圧レベルに達すると、充電電圧検出信号ｓ２をＬレベルとする。起動回路１５は、充電電圧検出信号ｓ２がＬレベルとなり、反転リセット入力端子／ＲＥＳＥＴの入力がＨレベルになると、出力端子ＱをＬレベルとする（このとき、セット入力端子ＳＥＴの入力はＬレベル）。これにより、ゲート素子Ｇ１では、入力端子ＡがＨレベルのままで、入力端子ＢがＬレベルとなるため、出力端子ＸはＬレベルとなる。すると、スイッチング素子ＳＷ１がオフして、ドレイン（Ｄ）から昇圧制御回路１６への昇圧動作電圧Ｖｏｕｔの出力が停止する。これにより、電源部１０の電源電圧Ｖｃｃは、昇圧回路１３の一次巻線Ｔｆに供給されなくなり、昇圧回路１３における昇圧動作が停止する。
【００６５】
上述した第１実施形態によれば、以下の効果を奏する。
（１）昇圧制御部１８は、照明装置２において所定レベル以上の電磁波が検知されると、電源装置１の昇圧回路１３へ電源電圧Ｖｃｃを供給して昇圧動作を実行させるので、図示しないカメラからのシンクロ信号が使えない場合においても、照明装置２が発光した場合には、トリガ電磁波検知回路４１から発せられたトリガ電磁波検知信号ｓ１により、主コンデンサＣ１の充電を開始することができる。また、電源装置１に、シンクロ端子やカメラと電源装置１との間を接続するケーブルが不要となる。
（２）電源装置１は、照明装置２が発光しない場合は主コンデンサＣ１の充電を開始せず、照明装置２が発光した場合のみ充電を開始するので、発光の有無にかかわらず昇圧動作を繰り返し行う従来の電源装置に比べて、電池の消耗を最小限に抑えることができる。この場合、電源スイッチをオンしたままでも電池の消耗が抑えられるため、ユーザは使用頻度に応じて電源スイッチをオンオフする必要がない。また、電源装置１の電源スイッチを省いた構成とすることもできる。
（３）昇圧制御部１８は、充電電圧検出回路１７において充電電圧が所定電圧レベルに達したことが検出されると、昇圧回路１３への電源電圧Ｖｃｃの供給を停止するので、主コンデンサＣ１の充電後における電池の余計な消耗を抑えることができる。
（４）昇圧制御部１８は、照明装置２で所定レベル以上の電磁波を検知しないときは、発振回路１６ａの発振動作を停止するので、昇圧制御回路１６における電力消費を抑えることができる。また、発振回路１６ａとともに制御回路１６ｂの動作も停止するようにした場合は、昇圧制御回路１６における電力消費をほぼゼロとすることができる。
（５）ワンショット回路１２は、トリガ電磁波検知回路４１で所定レベル以上の電磁波を検知したときから所定時間内に、充電電圧検出回路１７において充電電圧が所定電圧レベルに達したことが検知されない場合は、昇圧回路１３への電源電圧Ｖｃｃの供給を停止するので、容量の少なくなった電池の無駄な消費を抑えるとともに、電池の過放電を防ぐことができる。また、上記のように昇圧回路１３への電源電圧Ｖｃｃの供給を停止した場合は、ランプＬ２が点灯するので、ユーザは電池消耗による昇圧動作の強制的な停止を知ることができる。従って、ユーザは電池交換することで速やかに撮影を継続することが可能となる。
（６）電源装置１は、照明装置２で発生する電磁波として、照明装置２のトリガ回路２６で発生するトリガ電磁波を検知するようにしたので、照明装置２のキセノン発光管２５が発光したことを確実に検知することができる。
（７）トリガ電磁波検知回路４１は、照明装置２の昇圧回路２２で発生する電磁波と同じ周波数帯域の信号成分をカットするフィルタ回路４１ａを介してトリガ電磁波の検知を行うので、照明装置２の主コンデンサＣ１が自然放電した場合に、昇圧回路２２の昇圧動作で発生した電磁波をトリガ回路２６で発生したトリガ電磁波として検知しないようにすることができる。従って、主コンデンサＣ１が自然放電した場合は、昇圧回路１３による不要な昇圧動作を行わないようにすることができる。なお、自然放電による主コンデンサＣ１の消耗は、照明装置２の電源部２０により対応することができる。
（第２実施形態）
【００６６】
次に、第２実施形態について説明する。図６は、第２実施形態におけるトリガ電磁波検知回路４１Ａの回路構成図である。なお、以後の実施形態では、第１実施形態と同等部分には同一符号を付して説明する。また、共通の構成、動作についても適宜に説明を省略する。
【００６７】
本実施形態のトリガ電磁波検知回路４１Ａは、ゲインコントロール回路４１ｃを備える。ゲインコントロール回路４１ｃは、トリガ電磁波検知回路４１におけるトリガ電磁波の検知感度を制御する回路である。ゲインコントロール回路４１ｃは、トリガ電磁波検知回路４１において所定レベル以上のトリガ電磁波を検知した後は、トリガ電磁波検知回路４１の検知感度を高くし、充電電圧検出回路１７で充電電圧が所定電圧に達したことが検出された後は、トリガ電磁波検知回路４１の検知感度を元の検知感度に戻すようにしている。
【００６８】
上記第２実施形態のトリガ電磁波検知回路４１Ａによれば、所定レベル以上のトリガ電磁波を検知した後は検知感度が高くなるため、トリガ電磁波の検知精度を高めることができる。従って、照明装置２を連続して発光させた場合において、トリガ電磁波検知回路４１Ａは、トリガ回路２６で発生するトリガ電磁波を確実に検知することができる。
【００６９】
また、充電電圧が所定電圧に達した後は、トリガ電磁波検知回路４１Ａの検知感度を元の検知感度とするため、主コンデンサＣ１が自然放電した場合に、昇圧回路２２で発生した電磁波をトリガ回路２６で発生したトリガ電磁波として検知しないようにすることができる。すなわち、照明装置２において、電源装置１からの充電電圧の供給が必要な場合のみ、電源装置１の昇圧動作を行わせるようにすることができる。
（第３実施形態）
【００７０】
次に、第３実施形態について説明する。図７は、第３実施形態における照明装置２Ａの回路構成図である。本実施形態の照明装置２Ａは、第１実施形態の照明装置２の構成に加えて、昇圧回路２２から発生する電磁波を検知する電磁波検知部としての昇圧電磁波検知回路４２と、検知信号出力端子Ｔ６と、を備える。その他の回路構成は第１実施形態と同じである。
【００７１】
昇圧電磁波検知回路４２は、昇圧回路２２の近傍に配置されている。昇圧回路２２は、昇圧動作時に電磁波（以下、昇圧電磁波という）を発生する。昇圧電磁波検知回路４２は、昇圧回路２２で発生する昇圧電磁波のうち、所定レベル以上の昇圧電磁波を検知したときに、昇圧電磁波検知信号ｓ３をＬレベルからＨレベルに変移させる。従って、昇圧電磁波検知信号ｓ３は、第１実施形態におけるトリガ電磁波検知信号ｓ１と同じ役割を果たす信号となる。
【００７２】
昇圧電磁波検知信号ｓ３は、検知信号用配線ｗ６と検知信号出力端子Ｔ６とを介して外部に送信される。検知信号出力端子Ｔ６は、図５において、高電圧入力端子Ｔ３、Ｔ４とともに配置される端子である。すなわち、本実施形態の照明装置２Ａは、図５に示すコネクタ接続部５において、高電圧入力端子Ｔ３、Ｔ４、及び検知信号出力端子Ｔ６を備えた構成となる。なお、昇圧電磁波検知回路４２は、第１実施形態のトリガ電磁波検知回路４１（図４参照）において、フィルタ回路４１ａを備えていない回路構成となる。その他の回路構成は第１実施形態と同じであるため図示と説明を省略する。
【００７３】
図８は、第３実施形態における電源装置１Ａの回路構成図である。本実施形態の電源装置１Ａは、第１実施形態の電源装置１の構成に加えて、検知信号入力端子Ｔ５を備える。この検知信号入力端子Ｔ５は、照明装置２Ａから出力された昇圧電磁波検知信号ｓ３を入力するための端子である。検知信号入力端子Ｔ５は、図４に示す高電圧出力端子Ｔ１、Ｔ２とともに配置される端子である。すなわち、本実施形態の電源装置１Ａは、図４に示すコネクタ４において、高電圧出力端子Ｔ１、Ｔ２、及び検知信号入力端子Ｔ５を備えた構成となる。
【００７４】
本実施形態において、コネクタ４は、図４に示すトリガ電磁波検知回路４１を備えていない。代わりに、照明装置２に配置された昇圧電磁波検知回路４２から発せられた昇圧電磁波検知信号ｓ３が、検知信号入力端子Ｔ５から検知信号用配線ｗ７を介して起動回路１５のセット入力端子ＳＥＴに入力される。昇圧電磁波検知信号ｓ３のレベル変化に対する起動回路１５の動作は、第１実施形態のトリガ電磁波検知信号ｓ１の場合と同じであるため説明を省略する。
【００７５】
本実施形態の上記コネクタ４を、同じく本実施形態の上記コネクタ接続部５に装着（挿入）すると、コネクタ４の高電圧出力端子Ｔ１、Ｔ２と、コネクタ接続部５の高電圧入力端子Ｔ３、Ｔ４とが嵌合するとともに、コネクタ４の検知信号入力端子Ｔ５と、コネクタ接続部５の検知信号出力端子Ｔ６とが嵌合して、それぞれ電気的に導通する。照明装置２Ａと接続された電源装置１Ａの動作は、第１実施形態と同じであるため説明を省略する。
【００７６】
上述した第３実施形態によれば、第１実施形態の（２）〜（５）と同等の効果を奏するとともに、以下の効果を奏する。
（１）昇圧制御部１８は、照明装置２Ａの昇圧回路２２において所定レベル以上の昇圧電磁波が検知されると、電源装置１Ａの昇圧回路１３へ電源電圧Ｖｃｃを供給して昇圧動作を実行させるので、図示しないカメラからのシンクロ信号が使えない場合においても、照明装置２Ａが発光した場合には、昇圧電磁波検知回路４２から発せられた昇圧電磁波検知信号ｓ３により、主コンデンサＣ１の充電を開始することができる。また、電源装置１Ａにシンクロ端子やカメラと電源装置１との間を接続するケーブルが不要となる。
（２）電源装置１Ａは、照明装置２Ａで発生する電磁波として、照明装置２Ａの昇圧回路２２で発生する昇圧電磁波を検知するようにしたので、通常の発光時だけでなく、照明装置２Ａの主コンデンサＣ１が自然放電したときの昇圧動作に同期して、電源装置１Ａの昇圧回路１３において昇圧動作を開始させることができる。
（３）照明装置２Ａの昇圧回路２２は、昇圧電磁波が外部に放射しないように絶縁性のカバーなどで覆われている。このため、昇圧動作時に発生する昇圧電磁波は、第１実施形態のトリガ回路２６で発生するトリガ電磁波よりも出力が小さくなる。しかしながら、本実施形態では、昇圧電磁波検知回路４２を昇圧回路２２の近傍に配置したので、昇圧回路２２で発生する昇圧電磁波を精度良く検知することができる。
（第４実施形態）
【００７７】
次に、第４実施形態について説明する。第４実施形態における照明装置の回路構成は、第３実施形態の照明装置２Ａと同じであるため、図示と説明を省略する。以下、第３実施形態と同じく「照明装置２Ａ」と標記する。
【００７８】
なお、本実施形態における昇圧電磁波検知回路４２は、照明装置２Ａの昇圧回路２２で発生する、第２の電磁波としての昇圧電磁波を検知する回路である。
【００７９】
図９は、第４実施形態における電源装置１Ｂの回路構成図である。本実施形態の電源装置１Ｂは、第１実施形態における電源装置１の構成に加えて、検知信号入力端子Ｔ５と、検知信号制御回路１５ｂと、を備える。
【００８０】
検知信号入力端子Ｔ５は、照明装置２Ａから送信される昇圧電磁波検知信号ｓ３を入力するための端子である。検知信号入力端子Ｔ５は、図４に示す高電圧出力端子Ｔ１、Ｔ２とともに配置される端子である。すなわち、本実施形態の電源装置１Ｂは、図４に示すコネクタ４において、高電圧出力端子Ｔ１、Ｔ２、及び検知信号入力端子Ｔ５を備えた構成となる。検知信号入力端子Ｔ５から入力された昇圧電磁波検知信号ｓ３は、検知信号用配線ｗ７を介して起動回路１５に送信される。
【００８１】
電源装置１Ｂの起動回路１５は、ラッチ回路１５ａと、検知信号制御回路１５ｂとを備える。ラッチ回路１５ａの動作は第１実施形態と同じであるため説明を省略する。検知信号制御回路１５ｂは、ラッチ回路１５ａのセット入力端子ＳＥＴに入力する信号を制御する回路である。検知信号制御回路１５ｂの入力側は、検知信号用配線ｗ５及びｗ７と接続されている。照明装置２Ａに装着されたトリガ電磁波検知回路４１から出力されるトリガ電磁波検知信号ｓ１は、検知信号用配線ｗ５を介して検知信号制御回路１５ｂに入力する。一方、照明装置２Ａの昇圧電磁波検知回路４２から出力される昇圧電磁波検知信号ｓ３は、検知信号用配線ｗ７を介して検知信号制御回路１５ｂに入力する。検知信号制御回路１５ｂの出力側はラッチ回路１５ａのセット入力端子ＳＥＴと接続されている。
【００８２】
本実施形態の電源装置１Ｂでは、発光による充電電圧の低下と、主コンデンサＣ１の自然放電による充電電圧の低下を判別して、発光による充電電圧の低下にのみ応答して昇圧動作を行うようにしている。すなわち、通常の発光においては、最初にトリガ回路２６で発生するトリガ電磁波が検知され、その後、所定時間差をもって昇圧回路２２で発生する昇圧電磁波が検知される。一方、自然放電の場合は、昇圧回路２２で発生する昇圧電磁波のみが検知される。
【００８３】
このため、検知信号制御回路１５ｂは、トリガ電磁波検知回路４１から出力されたトリガ電磁波検知信号ｓ１がＨレベルとなり、その後、所定時間差で、昇圧電磁波検知回路４２から出力された昇圧電磁波検知信号ｓ３がＨレベルとなった場合にのみ、ラッチ回路１５ａのセット入力端子ＳＥＴに入力する信号をＨレベルとするように制御している。第１実施形態で説明したように、ラッチ回路１５ａは、セット入力端子ＳＥＴに入力する信号がＨレベルになると、出力端子ＱをＨレベルとする。これにより、ゲート素子Ｇ１の出力端子ＸがＨレベルとなり、スイッチング素子ＳＷ１がオンして、ドレイン（Ｄ）から昇圧制御回路１６へ昇圧動作電圧Ｖｏｕｔが出力される。従って、昇圧回路１３において昇圧動作が開始される。
【００８４】
このように、図９に示す昇圧制御部１８は、トリガ回路２６で発生したトリガ電磁波と、昇圧回路２２で発生した昇圧電磁波とを所定時間差で検知したときに、昇圧回路１３に昇圧動作を開始させる機能を備える。
【００８５】
上述した第４実施形態によれば、第１の実施形態の（１）〜（５）と同等の効果を奏するとともに、以下の効果を奏する。
トリガ回路２６で発生したトリガ電磁波と、昇圧回路２２で発生した昇圧電磁波とを所定時間差で検知したときに、昇圧回路１３に昇圧動作を開始させるので、発光により充電電圧が低下した場合にのみ昇圧回路１３の昇圧動作を実行させることができる。すなわち、照明装置２Ａの主コンデンサＣ１が自然放電した場合に、昇圧回路２２の昇圧動作で発生した昇圧電磁波をトリガ回路２６で発生したトリガ電磁波として検知しないようにすることができる。従って、本実施形態では、主コンデンサＣ１が自然放電した場合に、昇圧回路１３による不要な昇圧動作を行わないようにすることができる。
（変形形態）
【００８６】
以上説明した実施形態に限定されることなく、本発明は以下に示すような種々の変形や変更が可能であり、それらも本発明の範囲内である。
（１）トリガ電磁波検知回路４１や昇圧電磁波検知回路４２などの電磁波検知部において、電磁波の検知は電磁波検知コイルＬに限らず、他の磁気感知素子を用いることができる。また、トリガ電磁波検知回路４１は、コネクタ４に設けられていなくてもよく、照明装置２の内部、或いは外部に単独で設けられていてもよい。同様に、検知信号用配線ｗ５は、電源コード３に内蔵されていなくてもよく、単独の配線として電源装置１と接続されていてもよい。
（２）第４実施形態において、トリガ電磁波と昇圧電磁波とを、一つの電磁波検知部で検知するようにしてもよい。すなわち、照明装置２Ａの昇圧回路２２の近傍に電磁波検知部を配置することにより、上記２つの電磁波を検知することができる。この場合、図９に示す検知信号制御回路１５ｂは、最初に電磁波検知部から送信された電磁波検知信号がＨレベルとなり、その後、所定時間差で同じ電磁波検知回路から送信された電磁波検知信号がＨレベルとなった場合にのみ、ラッチ回路１５ａのセット入力端子ＳＥＴに入力する信号をＨレベルとするように制御する。
（３）上記（２）のように、トリガ電磁波と昇圧電磁波とを、一つの電磁波検知部で検知する構成において、昇圧電磁波のみを検知したときに、電源装置１の昇圧回路１３で昇圧動作を開始させるようにしてもよい。この場合は、照明装置２Ａの昇圧回路２２の近傍に共用の電磁波検知部を配置した構成とする。そして、電磁波検知部とゲインコントロール回路とを接続し、このゲインコントロール回路により電磁波検知部の感度を交互に高感度／低感度となるように切り替える。これにより、電磁波検知部は、高感度の期間では、出力の小さな昇圧電磁波を検知することができ、低感度の期間では、出力の大きなトリガ電磁波を検知することができる。
（４）図１、図８、及び図９では、ゲート素子Ｇ１の出力端子Ｘをスイッチング素子ＳＷ１のゲート（Ｇ）に接続させる回路構成としている。このほかにも、スイッチング素子ＳＷ１を廃して、ゲート素子Ｇ１の出力端子Ｘを昇圧制御回路１６に直接接続して、ゲート素子Ｇ１の出力を昇圧制御回路１６の電源Ｖｏｕｔとする回路構成としてもよい。
（５）上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００８７】
１，１Ａ，１Ｂ：電源装置、２，２Ａ：照明装置、３：電源コード、４：コネクタ、５：コネクタ接続部、１０，２０：電源部、１１，２１：定電圧回路、１２：ワンショット回路、１３，２２：昇圧回路、１４：整流回路、１５：起動回路、１５ａ：ラッチ回路、１５ｂ：検知信号制御回路、１６：昇圧制御回路、１７：充電電圧検出回路、１８：昇圧制御部、２３：充電電圧検出回路、２４：発光制御部、２５：キセノン発光管、２６：トリガ回路、２７：制御回路、４１：トリガ昇圧電磁波検知回路、４２：昇圧電磁波検知回路、Ｃ１：主コンデンサ
【図１】
2010251857.tif 000003
【図２】
2010251857.tif 000004
【図３】
2010251857.tif 000005
【図４】
2010251857.tif 000006
【図５】
2010251857.tif 000007
【図６】
2010251857.tif 000008
【図７】
2010251857.tif 000009
【図８】
2010251857.tif 000010
【図９】
2010251857.tif 000011